(57)【要約】  記憶部（１２０）は、購入希望情報（１４）とサプライヤ企業情報（１７）とサプライヤ製品情報（１８）とを記憶する。マッチング部（１３０）は、購入希望情報（１４）に基づいて、サプライヤ企業情報（１７）からサプライヤ（３０）を選出サプライヤとして選出する。また、マッチング部（１３０）は、選出サプライヤが供給する供給製品の仕様と購入希望製品の仕様とが一致する度合いを判定する。マッチング部（１３０）は、度合いが閾値より小さい場合に、選出サプライヤが供給する供給製品の仕様と購入希望製品の仕様との違いを分析する。そして、マッチング部（１３０）は、分析結果に基づいて、選出サプライヤの供給製品の情報をサプライヤ製品情報（１８）から抽出するか否かを判定する。
2017212667.tif 000002
【特許請求の範囲】
【請求項１】
バイヤが購入を希望する購入希望製品の情報を含む購入希望情報と、サプライヤの企業の情報を表すサプライヤ企業情報と、サプライヤが供給する供給製品の情報を含むサプライヤ製品情報とを記憶する記憶部と、
前記購入希望情報に基づいて、前記サプライヤ企業情報からサプライヤを選出サプライヤとして選出し、前記選出サプライヤが供給する供給製品の仕様と前記購入希望製品の仕様とが一致する度合いを判定し、前記度合いが閾値より小さい場合に、前記選出サプライヤが供給する供給製品の仕様と前記購入希望製品の仕様との違いを分析し、分析結果に基づいて、前記選出サプライヤの供給製品の情報を前記サプライヤ製品情報から抽出するか否かを判定するマッチング部と
を備えた仲介装置。
【請求項２】
バイヤが購入を希望する購入希望製品の情報を含む購入希望情報と、バイヤとサプライヤとの間で取引があった製品の情報を表す取引情報と、サプライヤが供給する供給製品の情報を含むサプライヤ製品情報とを記憶する記憶部と、
前記購入希望情報と前記取引情報とに基づいて、取引される傾向にあるトレンド製品を抽出し、前記トレンド製品と前記サプライヤ製品情報とに基づいて、前記トレンド製品の仕様と前記供給製品の仕様とに違いがある場合に、前記違いを分析し、分析結果に基づいて、前記サプライヤに対して前記トレンド製品に関するトレンド通知を通知するトレンド分析部と
を備えた仲介装置。
【請求項３】
前記記憶部は、さらに、
バイヤを評価したバイヤ評価データを含むバイヤ評価情報を記憶し、
前記仲介装置は、さらに、
サプライヤが供給する供給製品の条件を表す供給条件と、前記供給製品を供給する供給先であるバイヤに対して前記サプライヤが希望する前記バイヤ評価データの条件を表すバイヤ評価条件とに基づいて、前記購入希望情報から購入希望製品の情報を抽出する購入希望抽出要求を取得し、前記供給条件と前記バイヤ評価条件と前記購入希望情報と前記バイヤ評価情報とに基づいて、前記購入希望情報から購入希望製品の情報を抽出する取引部を備えた請求項１又は２に記載の仲介装置。
【請求項４】
前記記憶部は、さらに、
サプライヤを評価したサプライヤ評価データを含むサプライヤ評価情報を記憶し、
前記取引部は、
前記購入希望製品の条件を表す購入条件と、前記購入希望製品を供給するサプライヤに対して前記バイヤが希望する前記サプライヤ評価データの条件を表すサプライヤ評価条件とに基づいて、前記サプライヤ製品情報から供給製品の情報を抽出する供給製品抽出要求を取得し、前記購入条件と前記サプライヤ評価条件と前記サプライヤ製品情報と前記サプライヤ評価情報とに基づいて、前記サプライヤ製品情報から供給製品の情報を抽出する請求項３に記載の仲介装置。
【請求項５】
前記バイヤ評価情報は、
バイヤが過去に購入した購入製品について前記バイヤが要求した要求品質と要求価格と要求納期との各々に対する前記バイヤ評価データを含み、
前記サプライヤ評価情報は、
サプライヤが過去に供給した供給済製品の供給済品質と供給済価格と供給済納期との各々に対する前記サプライヤ評価データを含む請求項４に記載の仲介装置。
【請求項６】
前記取引部は、
前記購入希望抽出要求を取得すると、前記供給条件を満たし、かつ、前記バイヤ評価データが前記バイヤ評価条件を満たすバイヤが購入を希望している購入希望製品の情報を前記購入希望情報から抽出する請求項５に記載の仲介装置。
【請求項７】
前記取引部は、
前記供給製品抽出要求を取得すると、前記購入条件を満たし、かつ、前記サプライヤ評価データが前記サプライヤ評価条件を満たすサプライヤが供給する供給製品の情報を前記サプライヤ製品情報から抽出する請求項６に記載の仲介装置。
【請求項８】
前記記憶部は、
バイヤの企業の情報を表すバイヤ企業情報と、サプライヤの企業の情報を表すサプライヤ企業情報とを記憶し、
前記取引部は、
前記バイヤ企業情報に基づいて前記購入希望情報から購入希望製品の情報を抽出すると共に、前記サプライヤ企業情報に基づいて前記サプライヤ製品情報から供給製品の情報を抽出する請求項７に記載の仲介装置。
【請求項９】
前記サプライヤ製品情報は、サプライヤが供給する供給製品の輸送条件を含み、
前記記憶部は、さらに、
物流業者を識別する物流識別子と、前記物流業者が輸送する際の輸送条件とを対応付けた物流情報を記憶し、
前記仲介装置は、さらに、
前記サプライヤ製品情報と前記物流情報とに基づいて、前記取引部により抽出された購入希望製品の輸送条件を満たす物流業者を選択する物流エンジン部を備えた請求項３から８のいずれか１項に記載の仲介装置。
【請求項１０】
前記物流エンジン部は、
選択された物流業者が前記取引部により抽出された購入希望製品を発送元から発送先まで輸送する際の、輸送費用及び輸送所要時間を算出する請求項９に記載の仲介装置。
【請求項１１】
前記記憶部は、
前記選択された物流業者を識別する物流識別子と前記発送元と前記発送先と前記輸送費用と前記輸送所要時間とを対応付けて、前記物流情報に記憶する請求項１０に記載の仲介装置。
【請求項１２】
前記記憶部は、
バイヤとサプライヤとの間で取引が確定した取引製品の情報を表す取引データを記憶し、
前記物流エンジン部は、
前記取引データと前記物流情報とに基づいて、前記取引データから、バイヤが注文した注文製品を同梱可能な取引製品を抽出する請求項９又は１０に記載の仲介装置。
【請求項１３】
前記物流エンジン部は、
前記注文製品と前記取引製品とを同梱して輸送した場合の輸送費用及び輸送所要時間とを算出する請求項１２に記載の仲介装置。
【請求項１４】
バイヤとサプライヤとの取引を仲介する仲介装置の仲介方法において、
前記仲介装置は、バイヤが購入を希望する購入希望製品の情報を含む購入希望情報と、サプライヤの企業の情報を表すサプライヤ企業情報と、サプライヤが供給する供給製品の情報を含むサプライヤ製品情報とを記憶する記憶部を備え、
マッチング部が、前記購入希望情報に基づいて、前記サプライヤ企業情報からサプライヤを選出サプライヤとして選出し、前記選出サプライヤが供給する供給製品の仕様と前記購入希望製品の仕様とが一致する度合いを判定し、前記度合いが閾値より小さい場合に、前記選出サプライヤが供給する供給製品の仕様と前記購入希望製品の仕様との違いを分析し、分析結果に基づいて、前記選出サプライヤの供給製品の情報を前記サプライヤ製品情報から抽出するか否かを判定する仲介方法。
【請求項１５】
バイヤとサプライヤとの取引を仲介する仲介装置の仲介方法において、
前記仲介装置は、バイヤが購入を希望する購入希望製品の情報を含む購入希望情報と、バイヤとサプライヤとの間で取引があった製品の情報を表す取引情報と、サプライヤが供給する供給製品の情報を含むサプライヤ製品情報とを記憶する記憶部を備え、
トレンド分析部が、前記購入希望情報と前記取引情報とに基づいて、取引される傾向にあるトレンド製品を抽出し、前記トレンド製品と前記サプライヤ製品情報とに基づいて、前記トレンド製品の仕様と前記供給製品の仕様とに違いがある場合に、前記違いを分析し、分析結果に基づいて、前記サプライヤに対して前記トレンド製品に関するトレンド通知を通知する仲介方法。
【請求項１６】
バイヤとサプライヤとの取引を仲介する仲介装置の仲介プログラムにおいて、
前記仲介装置は、バイヤが購入を希望する購入希望製品の情報を含む購入希望情報と、サプライヤの企業の情報を表すサプライヤ企業情報と、サプライヤが供給する供給製品の情報を含むサプライヤ製品情報とを記憶する記憶部を備え、
前記購入希望情報に基づいて、前記サプライヤ企業情報からサプライヤを選出サプライヤとして選出し、前記選出サプライヤが供給する供給製品の仕様と前記購入希望製品の仕様とが一致する度合いを判定し、前記度合いが閾値より小さい場合に、前記選出サプライヤが供給する供給製品の仕様と前記購入希望製品の仕様との違いを分析し、分析結果に基づいて、前記選出サプライヤの供給製品の情報を前記サプライヤ製品情報から抽出するか否かを判定するマッチング処理をコンピュータである前記仲介装置に実行させる仲介プログラム。
【請求項１７】
バイヤとサプライヤとの取引を仲介する仲介装置の仲介プログラムにおいて、
前記仲介装置は、バイヤが購入を希望する購入希望製品の情報を含む購入希望情報と、バイヤとサプライヤとの間で取引があった製品の情報を表す取引情報と、サプライヤが供給する供給製品の情報を含むサプライヤ製品情報とを記憶する記憶部を備え、
前記購入希望情報と前記取引情報とに基づいて、取引される傾向にあるトレンド製品を抽出し、前記トレンド製品と前記サプライヤ製品情報とに基づいて、前記トレンド製品の仕様と前記供給製品の仕様とに違いがある場合に、前記違いを分析し、分析結果に基づいて、前記サプライヤに対して前記トレンド製品に関するトレンド通知を通知するトレンド通知処理をコンピュータである前記仲介装置に実行させる仲介プログラム。
【発明の詳細な説明】
【技術分野】
【０００１】
本発明は、仲介装置、仲介方法及び仲介プログラムに関する。
【背景技術】
【０００２】
特許文献１及び２には、バイヤがＷｅｂでサプライヤの製品仕様及び評価情報を参照し、最適なサプライヤを選定する方式について開示されている。また、特許文献３には、バイヤの購入希望情報をＷｅｂに掲載し、サプライヤ側から取引きを実現する方式について開示されている。そして特許文献４では、バイヤとサプライヤの需要と供給に関する情報をマッチングし、双方に通知する方式について開示されている。
また、特許文献５には、生産拠点の生産計画情報を利用して複数の部品調達先から最適なコストのものを選び、製品にかかるコストを削減する方式について開示されている。また、特許文献６では、部品注文の際に在庫を持つ倉庫を検索し、輸送時間とコスト面で最適な倉庫から代理発送する商取引方式について開示されている。
【先行技術文献】
【特許文献】
【０００３】
【特許文献１】特開２００２−００７６４７号公報
【特許文献２】特開２０１５−２１９５５５号公報
【特許文献３】特開２００３−０４４７０７号公報
【特許文献４】特開２０１５−０９９６１８号公報
【特許文献５】特開２０００−１１３０５１号公報
【特許文献６】特開２００６−１７６２３１号公報
【発明の概要】
【発明が解決しようとする課題】
【０００４】
インターネットを利用してサプライチェーンのバイヤとサプライヤが情報を交換し、希望の調達を実現するためには、上述の特許文献１から４で示される方式では、以下の２つの課題がある。
（１）特許文献１から３では、サプライヤの製品情報及び評価情報の共有に注力しており、バイヤ側の希望製品情報以外の情報、例えば評価情報等は共有されにくい。そのため、取引きはバイヤ有利で進みがちであり、不当な値切り等を行う悪質なバイヤを見抜くことができない。
（２）特許文献４のようなマッチング技術を活用して、バイヤの希望製品情報とサプライヤの製品情報を結びつける場合、確実に仕様が一致するものしか選出することができない。そのため、わずかな仕様変更で仕様を満たすことができるサプライヤの販売機会を創出することができない。【０００５】
また、インターネットを利用してサプライチェーンのバイヤが最適なサプライヤから部品調達を行うためには、上述の特許文献５及び６で示される方式では、以下の２つの課題がある。
（３）特許文献５及び６では、バイヤは予め調達しようとする部品がどのサプライヤあるいは倉庫から調達可能かを把握し、その輸送手段の候補を決めておかなければならない。つまりオープンな市場のように常に商品や輸送手段が変化する状況では手間が増えてしまう。
（４）特許文献５及び６では、個々の取引における輸送を独立して扱う。よって複数の取引をまとめて扱うことで、輸送の効率化を図ることが可能な状況においても、個別発送によってコストが増加してしまう可能性がある。【０００６】
本発明では、サプライヤの評価情報とバイヤの評価情報とを用いて、より公平な取引きの実現を目的とする。また、本発明では、これらの評価情報と、バイヤの希望する製品仕様と、サプライヤの製品仕様及び製造装置等に関する情報とを用いて、柔軟なマッチングを自動的に行い、より多くの購買機会を創出することを目的とする。また、本発明では、サプライヤが提供する製品情報と物流業者が提供する輸送条件情報と合わせて輸送時間及び輸送コストを計算することで、バイヤはトータルの価格と納期を比較してより柔軟な取引きを実現することを目的とする。
【課題を解決するための手段】
【０００７】
本発明に係る仲介装置は、
バイヤが購入を希望する購入希望製品の情報を含む購入希望情報と、サプライヤの企業の情報を表すサプライヤ企業情報と、サプライヤが供給する供給製品の情報を含むサプライヤ製品情報とを記憶する記憶部と、
前記購入希望情報に基づいて、前記サプライヤ企業情報からサプライヤを選出サプライヤとして選出し、前記選出サプライヤが供給する供給製品の仕様と前記購入希望製品の仕様とが一致する度合いを判定し、前記度合いが閾値より小さい場合に、前記選出サプライヤが供給する供給製品の仕様と前記購入希望製品の仕様との違いを分析し、分析結果に基づいて、前記選出サプライヤの供給製品の情報を前記サプライヤ製品情報から抽出するか否かを判定するマッチング部とを備えた。
【発明の効果】
【０００８】
本発明に係る仲介装置では、マッチング部は、購入希望情報に基づいて、サプライヤ企業情報からサプライヤを選出サプライヤとして選出し、選出サプライヤが供給する供給製品の仕様と購入希望製品の仕様とが一致する度合いを判定する。そして、マッチング部は、度合いが閾値より小さい場合に、選出サプライヤが供給する供給製品の仕様と購入希望製品の仕様との違いを分析し、分析結果に基づいて、選出サプライヤの供給製品の情報をサプライヤ製品情報から抽出するか否かを判定する。よって、本発明に係る仲介装置によれば、バイヤの購入希望情報を基に、バイヤの要求仕様を満たす能力又は可能性を持つサプライヤを、サプライヤ企業情報とサプライヤ製品情報から自動的に抽出することができる。
【図面の簡単な説明】
【０００９】
【図１】実施の形態１に係る仲介システム５００及び仲介装置１０の構成図。
【図２】実施の形態１に係る取引情報１５の構成図。
【図３】実施の形態１に係るバイヤ評価情報１２の構成図。
【図４】実施の形態１に係るサプライヤ評価情報１６の構成図。
【図５】実施の形態１に係るバイヤ企業情報１３の構成図。
【図６】実施の形態１に係るサプライヤ企業情報１７の構成図。
【図７】実施の形態１に係る購入希望情報１４の構成図。
【図８】実施の形態１に係るサプライヤ製品情報１８の構成図。
【図９】実施の形態１に係るバイヤによる取引処理Ｓ１００のフロー図。
【図１０】実施の形態１に係るバイヤによる取引処理Ｓ１００の別例を示すフロー図。
【図１１】実施の形態１に係るサプライヤによる取引処理Ｓ２００のフロー図。
【図１２】実施の形態１に係るサプライヤによる取引処理Ｓ２００の別例を示すフロー図。
【図１３】実施の形態１の変形例に係る仲介装置１０の構成図。
【図１４】実施の形態２に係る仲介装置１０ａの構成図。
【図１５】実施の形態２に係るマッチング処理Ｓ４００のフロー図。
【図１６】実施の形態３に係る仲介装置１０ｂの構成図。
【図１７】実施の形態３に係るトレンド通知処理Ｓ５００のフロー図。
【図１８】実施の形態４に係る仲介システム５００ｃ及び仲介装置１０ｃの構成図。
【図１９】実施の形態４に係るサプライヤ製品情報１８ｃの構成図。
【図２０】実施の形態４に係る物流情報１９の第１物流情報１９１の構成図。
【図２１】実施の形態４に係る物流情報１９の第２物流情報１９２の構成図。
【図２２】実施の形態４に係る仲介装置１０ｃのサプライヤ製品提示処理のフロー図。
【図２３】実施の形態５に係る仲介装置１０ｃの輸送計算処理のフロー図。
【発明を実施するための形態】
【００１０】
以下、本発明の実施の形態について、図を用いて説明する。なお、各図中、同一又は相当する部分には、同一符号を付している。実施の形態の説明において、同一又は相当する部分については、説明を適宜省略又は簡略化する。
【００１１】
実施の形態１．
＊＊＊構成の説明＊＊＊
図１を用いて、本実施の形態に係る仲介システム５００及び仲介装置１０の構成について説明する。
仲介システム５００は、バイヤ２０とサプライヤ３０とが相互に評価し合い、その評価結果を参考にして、バイヤ２０はサプライヤ３０が供給する製品を探し、サプライヤ３０はバイヤ２０が希望している製品を探すシステムである。バイヤ２０とサプライヤ３０との各々は、１つ又は複数である。仲介システム５００は、バイヤ２０が備えるバイヤ端末２１と、サプライヤ３０が備えるサプライヤ端末３１と、調達を仲介する仲介装置１０とがインターネット４０を介して接続する構成をとる。仲介装置１０は複数あってもよいが、複数ある場合はそれぞれの装置が持つバイヤ２０及びサプライヤ３０に関するデータは共有できていなければならない。
【００１２】
図１において、仲介装置１０は、取引部１１０と記憶部１２０とを備える。記憶部１２０には、バイヤ評価情報１２、バイヤ企業情報１３、購入希望情報１４、取引情報１５、サプライヤ評価情報１６、サプライヤ企業情報１７、サプライヤ製品情報１８が記憶されている。バイヤ２０のバイヤ端末２１は、インターネット４０を介して仲介装置１０の取引部１１０と接続する。サプライヤ３０のサプライヤ端末３１もインターネット４０を介して仲介装置１０の取引部１１０と接続する。取引部１１０は、バイヤ評価情報１２、バイヤ企業情報１３、購入希望情報１４、取引情報１５、サプライヤ評価情報１６、サプライヤ企業情報１７、サプライヤ製品情報１８を利用し、バイヤ端末２１及びサプライヤ端末３１からの要求に応じる。
【００１３】
次に、本実施の形態に係る仲介装置１０の構成について説明する。
本実施の形態において、仲介装置１０は、コンピュータである。仲介装置１０は、プロセッサ９１０を備えると共に、記憶装置９２０、入力インタフェース９３０、出力インタフェース９４０、通信インタフェース９５０といった他のハードウェアを備える。記憶装置９２０は、メモリと補助記憶装置とを有する。
【００１４】
図１に示すように、仲介装置１０は、機能構成として、取引部１１０と、記憶部１２０とを備える。以下の説明では、仲介装置１０における取引部１１０を、仲介装置１０の「部」の機能という。
【００１５】
仲介装置１０の「部」の機能は、ソフトウェアで実現される。
また、記憶部１２０は、記憶装置９２０で実現される。
【００１６】
プロセッサ９１０は、信号線を介して他のハードウェアと接続され、これら他のハードウェアを制御する。
プロセッサ９１０は、プロセッシングを行うＩＣ（Ｉｎｔｅｇｒａｔｅｄ  Ｃｉｒｃｕｉｔ）である。プロセッサ９１０は、具体的には、ＣＰＵ（Ｃｅｎｔｒａｌ  Ｐｒｏｃｅｓｓｉｎｇ  Ｕｎｉｔ）等である。
【００１７】
入力インタフェース９３０は、マウス、キーボード、タッチパネルといった入力装置と接続されるポートである。入力インタフェース９３０は、具体的には、ＵＳＢ（Ｕｎｉｖｅｒｓａｌ・Ｓｅｒｉａｌ・Ｂｕｓ）端子である。なお、入力インタフェース９３０は、ＬＡＮ（Ｌｏｃａｌ・Ａｒｅａ・Ｎｅｔｗｏｒｋ）と接続されるポートであってもよい。
出力インタフェース９４０は、ディスプレイといった表示機器のケーブルが接続されるポートである。出力インタフェース９４０は、例えば、ＵＳＢ端子又はＨＤＭＩ（登録商標）（Ｈｉｇｈ・Ｄｅｆｉｎｉｔｉｏｎ・Ｍｕｌｔｉｍｅｄｉａ・Ｉｎｔｅｒｆａｃｅ）端子である。ディスプレイは、具体的には、ＬＣＤ（Ｌｉｑｕｉｄ・Ｃｒｙｓｔａｌ・Ｄｉｓｐｌａｙ）である。
通信インタフェース９５０は、レシーバとトランスミッタとを備える。具体的には、通信インタフェース９５０は通信チップ又はＮＩＣ（Ｎｅｔｗｏｒｋ・Ｉｎｔｅｒｆａｃｅ・Ｃａｒｄ）である。通信インタフェース９５０はデータを通信する通信部として機能する。レシーバはデータを受信する受信部として機能し、トランスミッタはデータを送信する送信部として機能する。
【００１８】
補助記憶装置は、具体的には、ＲＯＭ（Ｒｅａｄ  Ｏｎｌｙ  Ｍｅｍｏｒｙ）、フラッシュメモリ、又は、ＨＤＤ（Ｈａｒｄ  Ｄｉｓｋ  Ｄｒｉｖｅ）である。メモリは、具体的には、ＲＡＭ（Ｒａｎｄｏｍ  Ａｃｃｅｓｓ  Ｍｅｍｏｒｙ）である。記憶部１２０は、補助記憶装置により実現されてもよいし、メモリにより実現されてもよいし、メモリと補助記憶装置とにより実現されていてもよい。記憶部１２０の実現方法は任意である。
【００１９】
補助記憶装置には、「部」の機能を実現するプログラムが記憶されている。このプログラムは、メモリにロードされ、プロセッサ９１０に読み込まれ、プロセッサ９１０によって実行される。補助記憶装置には、ＯＳ（Ｏｐｅｒａｔｉｎｇ  Ｓｙｓｔｅｍ）も記憶されている。ＯＳの少なくとも一部がメモリにロードされ、プロセッサ９１０はＯＳを実行しながら、「部」の機能を実現するプログラムを実行する。
【００２０】
仲介装置１０は、プロセッサ９１０を代替する複数のプロセッサを備えていてもよい。これらの複数のプロセッサは、「部」の機能を実現するプログラムの実行を分担する。それぞれのプロセッサは、プロセッサ９１０と同じように、プロセッシングを行うＩＣである。
【００２１】
「部」の機能による処理の結果を示す情報、データ、信号値、及び、変数値は、メモリ、補助記憶装置、又は、プロセッサ９１０内のレジスタ又はキャッシュメモリに記憶される。なお、図１において、各部と記憶部とを結ぶ矢印は、各部が処理の結果を記憶部に記憶すること、或いは、各部が記憶部から情報を読み出すことを表している。また、各部を結ぶ矢印は、制御の流れを表している。
【００２２】
仲介装置１０の「部」の機能を実現するプログラムは、磁気ディスク、フレキシブルディスク、光ディスク、コンパクトディスク、ブルーレイ（登録商標）ディスク、ＤＶＤ（Ｄｉｇｉｔａｌ  Ｖｅｒｓａｔｉｌｅ  Ｄｉｓｃ）といった可搬記録媒体に記憶されてもよい。
なお、仲介装置１０の「部」の機能を実現するプログラムを仲介プログラム５２０ともいう。また、仲介プログラムプロダクトと称されるものは、仲介プログラム５２０が記録された記憶媒体及び記憶装置であり、見た目の形式に関わらず、コンピュータ読み取り可能なプログラムをロードしているものである。
【００２３】
次に、仲介装置１０の記憶部１２０に記憶された各情報について説明する。
図２は、本実施の形態に係る取引情報１５の構成を示す図である。
取引情報１５は、図２に示すように取引ＩＤ４１、日時４２、バイヤ４３、サプライヤ４４、製品４５、数量４６、備考４７の情報から構成される。取引ＩＤ４１は、調達仲介システム５００を利用して行われるバイヤとサプライヤ間の取引の全てに各々一意に付与されるＩＤである。日時４２は、その取引が成立した日時であり、バイヤ４３とサプライヤ４４はそれぞれ取引の購入者と販売者である。製品４５は、どの製品の取引が行われたのかを示す製品名であり、型番等でも代用される。数量４６は、製品４５がどの数量で取引されたかを示す。備考４７は、その取引に記載すべきその他の情報である。具体的には、その取引が特別仕様での発注である、短納期注文である等の情報が記載される。取引情報１５は、取引部１１０を利用してバイヤ２０とサプライヤ３０間で取引が行われた際に必ず記録され、取引部１１０を経由して他の情報と関連付けられる。
【００２４】
図３は、本実施の形態に係るバイヤ評価情報１２の構成を示す図である。
バイヤ評価情報１２は、バイヤを評価したバイヤ評価データ５１１を含む。バイヤ評価情報１２は、バイヤが過去に購入した購入製品についてバイヤが要求した要求品質５３と要求価格５４と要求納期５５との各々に対するバイヤ評価データ５１１を含む。
具体的には、バイヤ評価情報１２は、図３に示すように取引ＩＤ５１、評価日時５２、要求品質５３、要求価格５４、要求納期５５、備考５６の情報から構成される。取引ＩＤ５１は、取引情報１５に記載の取引ＩＤ４１と同一のものである。評価日時５２は、サプライヤ３０がこの評価を行った日時である。要求品質５３、要求価格５４、要求納期５５は、それぞれバイヤ２０がサプライヤ３０に本取引で要求した品質、価格、納期である。
要求品質５３、要求価格５４、要求納期５５には、「低」から「高」の情報、「短」から「長」の情報、「１」から「１０」までの情報とその説明のための定性的又は定量的な情報とがバイヤ評価データ５１１として設定される。具体的には、要求品質５３には、バイヤ評価データ５１１として、「高」及び「不良率０．１％未満」が設定されている。
備考５６は、品質、価格、納期以外の面でバイヤ２０に関して特筆すべき定性的又は定量的なバイヤ評価データ５１１が設定される。具体的には、備考５６には、「品質クレーム数が多い」が設定される。
これらのバイヤ評価データ５１１は、取引後にサプライヤ３０がバイヤ２０に対して行った評価である。また、要求品質５３、要求価格５４、要求納期５５、備考５６に関しては、全ての項目を評価することは必須ではなく、可能な範囲でサプライヤ３０がバイヤ２０の評価を設定する。
【００２５】
図４は、本実施の形態に係るサプライヤ評価情報１６の構成を示す図である。
サプライヤ評価情報１６は、サプライヤを評価したサプライヤ評価データ６１０を含む。サプライヤ評価情報１６は、サプライヤが過去に供給した供給済製品の供給済品質６３と供給済価格６４と供給済納期６５との各々に対するサプライヤ評価データを含む。
図４に示すように、サプライヤ評価情報１６もバイヤ評価情報１２と同様に、取引ＩＤ６１、評価日時６２、供給済品質６３、供給済価格６４、供給済納期６５、備考６６の情報から構成される。これらのサプライヤ評価データ６１０は、取引後にバイヤ２０がサプライヤ３０に対して行う評価である。なお、要求品質５３、要求価格５４、要求納期５５は、供給済品質６３、供給済価格６４、供給済納期６５に対応する。
【００２６】
図５は、本実施の形態に係るバイヤ企業情報１３の構成を示す図である。図６は、本実施の形態に係るサプライヤ企業情報１７の構成を示す図である。
バイヤ企業情報１３は、図５に示すように企業ＩＤ７１、企業名７２、製品７３、卸先７４、拠点７５、部品納入方式７６、規模７７、備考７８の情報から構成される。企業ＩＤ７１は、各バイヤに一意に割り振られた識別子である。企業名７２は、そのバイヤの名称である。製品７３は、そのバイヤが製造している製品である。卸先７４は、そのバイヤが製品７３を納めている卸先の名称である。拠点７５は、バイヤの製造拠点の場所であり、部品納入方式７６は、その製造拠点でどのようにサプライヤが部品を納めているかである。規模７７は、そのバイヤ企業の規模を示す金額（資本金或いは売上）である。備考７８は、バイヤについてその他に記載すべき情報である。
図６に示すように、サプライヤ企業情報１７もバイヤ企業情報１３と同様に、企業ＩＤ８１、企業名８２、製品８３、仕入先８４、拠点８５、生産設備８６、規模８７、備考８８の情報から構成される。仕入先８４は、サプライヤが部品を仕入れる取引先である。なお、仕入先８４に記載された企業は、サプライヤとしてサプライヤ企業情報１７に設定されている場合もある。また、生産設備８６は、どのような生産設備がどのような状況で稼働しているかを示す情報である。
【００２７】
図７は、本実施の形態に係る購入希望情報１４の構成を示す図である。
購入希望情報１４は、バイヤが購入を希望する購入希望製品の情報を含む。購入希望情報１４に含まれる購入希望製品の情報は、購入希望製品の購入条件でもある。
具体的には、購入希望情報１４は、図７に示すように、購入希望製品ＩＤ９１、企業ＩＤ９２、部品名９３、仕様９４、希望価格９５、希望数量９６、希望納期９７、備考９８の情報から構成される。購入希望製品ＩＤ９１は、バイヤの各購入希望製品に一意に割り振られた識別子である。企業ＩＤ９２は、バイヤ企業情報１３の企業ＩＤ７１にある識別子である。部品名９３は、バイヤが購入を希望する購入希望製品の名称である。仕様９４は、その購入希望製品を説明する詳細仕様である。希望価格９５は、購入希望製品の希望買取価格である。なお、希望価格９５には、希望買取価格の付記情報として、価格に関してサプライヤに希望する評価に関するサプライヤ評価条件を設定してもよい。具体的には、希望価格９５に、希望買取価格と、サプライヤの供給済価格のサプライヤ評価データ６１０が「低」かつ「市場価格の０．９倍以下」とを設定してもよい。希望数量９６は、どのくらいその購入希望製品を必要としているかの数である。希望納期９７は、いつまでにその部品が欲しいかである。希望納期９７にも、納期に関してサプライヤに希望する評価に関するサプライヤ評価条件（短納期を希望等）を設定してもよい。
備考９８は、それ以外の記載すべき購入希望部品についての情報である。具体的には、「納期優先」、「分納可」、品質に関してサプライヤに希望する評価に関するサプライヤ評価条件といった情報である。
【００２８】
図８は、本実施の形態に係るサプライヤ製品情報１８の構成を示す図である。
サプライヤ製品情報１８は、サプライヤが供給する供給製品の情報を含む。
具体的には、サプライヤ製品情報１８は、図８で示すように、製品ＩＤ１０１、企業ＩＤ１０２、部品名１０３、仕様１０４、価格１０５、納期１０６、備考１０７の情報から構成される。製品ＩＤ１０１は、各供給製品に一意に割り振られた識別子である。企業ＩＤ１０２は、その供給製品を販売するサプライヤ企業情報１７の企業ＩＤ８１にある識別子である。部品名１０３は、そのサプライヤが販売する供給製品の名称である。仕様１０４は、その供給製品を説明する詳細仕様である。価格１０５は、その供給製品の販売価格であり、納期１０６はその供給製品の注文を受けてから届けるまでの納期である。備考１０７は、その他に記載すべき当該供給製品の情報である。
【００２９】
＊＊＊動作の説明＊＊＊
図９を用いて、本実施の形態に係るバイヤによる取引処理Ｓ１００について説明する。また、図１０を用いて、本実施の形態に係るバイヤによる取引処理Ｓ１００について説明する。
【００３０】
＜事前準備処理＞
まず、事前に実行される事前準備処理について説明する。
予め、バイヤ２０はバイヤ端末２１から取引部１１０に接続し、バイヤ企業情報１３及び購入希望情報１４を可能な範囲で入力しておく。バイヤ企業情報１３及び購入希望情報１４は、記憶部１２０に記憶される。
サプライヤ３０はサプライヤ端末３１から取引部１１０に接続し、サプライヤ企業情報１７及びサプライヤ製品情報１８を可能な範囲で入力しておく。サプライヤ企業情報１７及びサプライヤ製品情報１８は、記憶部１２０に記憶される。
また、仲介装置１０を通じてバイヤ２０とサプライヤ３０間で行われた取引については、取引部１１０が取引情報１５に記録し、記憶部１２０に記憶する。また、その取引に関連する評価は、バイヤ２０及びサプライヤ３０の双方が、取引部１１０を通じてそれぞれサプライヤ評価情報１６及びバイヤ評価情報１２に入力する。
【００３１】
＜バイヤによる取引処理Ｓ１００＞
取引処理Ｓ１００は、バイヤがサプライヤを選定する処理であり、主に既製品の取引のための処理である。
取引処理Ｓ１００において、取引部１１０は、サプライヤ製品情報１８から供給製品の情報を抽出する供給製品抽出要求を取得する。供給製品抽出要求は、購入希望製品の条件を表す購入条件と、購入希望製品を供給するサプライヤに対してバイヤが希望するサプライヤ評価データ６１０の条件を表すサプライヤ評価条件とに基づいて、サプライヤ製品情報１８から供給製品の情報を抽出する要求である。そして、取引部１１０は、購入条件とサプライヤ評価条件とサプライヤ製品情報１８とサプライヤ評価情報１６とに基づいて、サプライヤ製品情報１８から供給製品の情報を抽出する。購入条件とサプライヤ評価条件とは、購入希望情報１４に含まれる。
以下に、取引処理Ｓ１００を具体的に説明する。
【００３２】
ステップＳ２０１において、取引部１１０は、バイヤ端末２１からインターネット４０を介して、購入希望情報１４に記されている条件を満たす供給製品をサプライヤ製品情報１８から検索する供給製品抽出要求を受信する。具体的には、バイヤ２０はバイヤ端末２１から取引部１１０に接続し、バイヤ２０が入力した購入希望情報１４の情報に記されている条件を満たす供給製品をサプライヤ製品情報１８から検索する供給製品抽出要求を取引部１１０に送信する。
ステップＳ２０２において、取引部１１０は、供給製品抽出要求を受信すると、購入希望情報１４とサプライヤ製品情報１８とを参照し、購入希望情報１４に記されている購入条件に合致する供給製品をサプライヤ製品情報１８から検索する。購入条件に合致する製品があった場合（ステップＳ２０２でＹＥＳ）、ステップＳ２０３に進む。購入条件に合致する供給製品がない場合（ステップＳ２０２でＮＯ）、条件に合致する供給製品がないことをバイヤ端末２１へ通知し（ステップＳ２０２１）、処理を終了する。
【００３３】
ステップＳ２０３において、取引部１１０は、条件に合致した供給製品の情報を合致製品情報として、バイヤ端末２１に返信する。合致製品情報には、この供給製品を供給するサプライヤの企業名８２と、部品名１０３、仕様１０４、価格１０５等バイヤ２０が当該供給製品の購入を検討する上で必要な情報が含まれる。また、合致製品情報には、供給製品抽出要求に含まれるサプライヤ評価条件も含まれるものとする。このとき、取引部１１０は、この製品を提供するサプライヤのサプライヤ評価情報１６及びサプライヤ企業情報１７を合致製品情報に含めてもよい。
【００３４】
ステップＳ２０４において、バイヤ端末２１は、合致製品情報を受信する。合致製品情報は、バイヤ２０により精査され、そのサプライヤからその供給製品を購入するか否かの判定がなされる。このとき、バイヤは、購入しようと思う製品を販売するサプライヤのサプライヤ評価情報１６及びサプライヤ企業情報１７の参照を取引部１１０に要求し、サプライヤ評価条件等を用いて、そのサプライヤから供給製品を購入すべきか否かを判定する。或いは、サプライヤ評価情報１６及びサプライヤ企業情報１７が合致製品情報に含まれている場合は、合致製品情報に含まれるサプライヤ評価情報１６及びサプライヤ企業情報１７を参照して、購入すべきか否かを判定してもよい。
購入しないと判定された場合（ステップＳ２０４でＮＯ）、処理を終了する。購入すると判定された場合（ステップＳ２０４でＹＥＳ）、購入すると判定された供給製品をサプライヤ製品情報１８から抽出された供給製品としてステップＳ２０５に進む。
【００３５】
或いは、図９のステップＳ２０２からステップＳ２０４の処理を、図１０のステップＳ２０２ａからステップＳ２０３ａの処理に替えてもよい。図１０のステップＳ２０２ａでは、取引部１１０は、供給製品抽出要求に含まれる購入条件及びサプライヤ評価条件と、記憶部１２０に記憶されたサプライヤ製品情報１８及びサプライヤ評価情報１６を用いて、サプライヤ製品情報１８から供給製品の情報を抽出する。例えば、取引部１１０は、供給製品抽出要求を取得すると、購入条件を満たし、かつ、サプライヤ評価データ６１０がサプライヤ評価条件を満たすサプライヤが供給する供給製品の情報をサプライヤ製品情報１８から抽出してもよい。また、供給製品抽出要求には、サプライヤの企業データに関する条件を含ませてもよい。取引部１１０は、購入条件とサプライヤ評価条件とサプライヤの企業データに関する条件とに基づいて、サプライヤ製品情報１８とサプライヤ評価情報１６とサプライヤ企業情報１７とを参照し、供給製品の情報をサプライヤ製品情報１８から抽出してもよい。
抽出した供給製品があれば（ステップＳ２０３ａでＹＥＳ）、処理は図９のステップＳ２０５に進む。抽出する供給製品がなければ（ステップＳ２０３ａでＮＯ）、条件に合致する供給製品がないことをバイヤ端末２１へ通知し（ステップＳ２０２１ａ）、処理は図９の終了に進む。
そして、取引部１１０は、抽出した供給製品の情報をバイヤ端末２１に送信する。
【００３６】
本実施の形態では、取引情報１５、バイヤ企業情報１３、バイヤ評価情報１２、サプライヤ企業情報１７、及びサプライヤ評価情報１６に、バイヤとサプライヤそれぞれが取引を検討する上で有用となる情報が付加されている。これにより、図１０のステップＳ２０１からステップＳ２０４の処理、或いは、ステップＳ２０１からステップＳ２０３ａの処理により、バイヤがサプライヤの供給製品を選ぶ際に、次のような効果が期待できる。
（１）サプライヤ企業情報１７からその仕入先８４を参照することにより、サプライチェーン構築時の最適化、すなわち地理的リスクの分散や同一サプライヤによるコスト削減等を図ることができる。
（２）サプライヤ企業情報１７の拠点８５を参照することにより、輸送の最適化、すなわちリードタイムの短縮や輸送コスト削減等を図ることができる。
（３）サプライヤ企業情報１７の生産設備８６を参照することにより、設備の稼働状況からサプライヤの生産能力の余力を計ることができる。
（４）サプライヤ企業情報１７の規模８７を参照することにより、バイヤの会社規模から発注の安全性を見積もることができる。
（５）サプライヤ企業情報１７の備考８８により、定量的に表せないメリットを活用することができる。
（６）サプライヤ評価情報１６にある複数のバイヤからの当該サプライヤの供給済品質６３、供給済価格６４、供給済納期６５に関する評価から、当該サプライヤとの取引を判定することができる。
（７）サプライヤ評価情報１６の備考６６から当該サプライヤの定量的に表せない良し悪しを知ることができる。
（８）さらに、統計処理され個々の取引が判別できないような形になった取引情報１５からも、より客観的な当該サプライヤのパフォーマンス（取引回数、取引量、取引会社数、等）を知ることができる。
【００３７】
ステップＳ２０５において、バイヤ端末２１は、取引部１１０を経由して、サプライヤ端末３１に注文データを送信する。バイヤがサプライヤに注文する製品は、ステップＳ２０４において購入が決定された供給製品、或いは、ステップＳ２０２ａにおいて取引部１１０により抽出された供給製品である。注文データには、この供給製品の部品名及び数量等が含まれる。
ステップＳ２０６において、バイヤとサプライヤ間の取引が開始され、取引部１１０は、注文データを取引情報１５として記憶部１２０に記憶する。
取引完了後に、ステップＳ２０７において、取引部１１０は、バイヤ端末２１及びサプライヤ端末３１のそれぞれに取引相手を評価するか否かを判定させ。判定結果を受信する。
評価しないとの評価結果を受信した場合（ステップＳ２０７でＮＯ）、処理を終了する。評価するとの評価結果を受信した場合（ステップＳ２０７でＹＥＳ）、ステップＳ２０８に進む。
ステップＳ２０８において、取引部１１０は、バイヤ端末２１或いはサプライヤ端末３１から、取引相手の評価結果を受信し、記憶部１２０に記憶されているバイヤ評価情報１２或いはサプライヤ評価情報１６に設定する。
【００３８】
＜サプライヤによる取引処理Ｓ２００＞
図１１を用いて、本実施の形態に係るサプライヤによる取引処理Ｓ２００について説明する。また、図１２を用いて、本実施の形態に係るサプライヤによる取引処理Ｓ２００について説明する。
取引処理Ｓ２００は、サプライヤがバイヤを選定する処理であり、主に注文品の取引の処理である。
取引処理Ｓ２００において、取引部１１０は、購入希望情報１４から購入希望製品の情報を抽出する購入希望抽出要求を取得する。購入希望抽出要求は、サプライヤが供給する供給製品の条件を表す供給条件と、供給製品を供給する供給先であるバイヤに対してサプライヤが希望するバイヤ評価データ５１１の条件を表すバイヤ評価条件とに基づいて、購入希望情報１４から購入希望製品の情報を抽出する要求である。そして、取引部１１０は、供給条件とバイヤ評価条件と購入希望情報とバイヤ評価情報とに基づいて、購入希望情報１４から購入希望製品の情報を抽出する。供給条件は、例えば、サプライヤ製品情報１８に設定されている供給製品の情報である。
以下に、取引処理Ｓ２００を具体的に説明する。
【００３９】
ステップＳ３０１において、取引部１１０は、サプライヤ端末３１からインターネット４０を介して、購入希望情報１４からサプライヤが供給可能な供給条件を満たす購入希望製品を検索する購入希望検索要求を受信する。具体的には、サプライヤはサプライヤ端末３１から取引部１１０に接続し、購入希望製品を購入希望情報１４から検索する購入希望検索要求を取引部１１０に送信する。
ステップＳ３０２において、取引部１１０は、供給条件とバイヤ評価条件と購入希望情報とバイヤ評価情報とに基づいて、購入希望情報１４から購入希望製品の情報を抽出する。例えば、取引部１１０は、購入希望抽出要求を取得すると、供給条件を満たし、かつ、バイヤ評価データがバイヤ評価条件を満たすバイヤが購入を希望している購入希望製品の情報を購入希望情報１４から抽出する。抽出すべき購入希望製品がない場合は（ステップＳ３０２でＮＯ）、条件に合致する製品がないことをサプライヤ端末３１へ通知し（ステップＳ３０２１）、処理を終了する。抽出すべき購入希望製品がある場合は（ステップＳ３０２でＹＥＳ）、処理はステップＳ３０３に進む。
ステップＳ３０３において、取引部１１０は、抽出した購入希望製品の情報をサプライヤ端末３１に送信する。
なお、購入希望抽出要求には、バイヤの企業データに関する条件を含ませてもよい。取引部１１０は、供給条件とバイヤ評価条件とバイヤの企業データに関する条件とに基づいて、購入希望情報１４とバイヤ評価情報１２とバイヤ企業情報１３とを参照し、購入希望製品の情報を購入希望情報１４から抽出する。
取引部１１０は、抽出した購入希望製品の情報をサプライヤ端末３１に送信する。
【００４０】
或いは、図１１のステップＳ３０１からステップＳ３０２を、図１２のステップＳ３０１ａからステップＳ３０４ａに替えてもよい。図１２のステップＳ３０１ａからステップＳ３０４ａの処理を行う場合は、まず、サプライヤは、サプライヤ端末３１から取引部１１０に接続し、購入希望情報１４からサプライヤが販売可能な供給条件に当てはまるものを探す（ステップＳ３０１ａ）。このとき、サプライヤは、バイヤ企業情報１３の製品７３や購入希望情報１４の仕様９４等を参考に、サプライヤが販売可能な供給条件に当てはまる購入希望製品の絞り込みを行う（ステップＳ３０２ａ）。絞り込んだ結果、購入希望製品がなければ（ステップＳ３０２ａでＮＯ）、処理は終了する。絞り込んだ結果、購入希望製品があれば（ステップＳ３０２ａでＹＥＳ）、処理はステップＳ３０３ａに進む。
ステップＳ３０３ａにおいて、絞り込んだ購入希望製品からサプライヤが販売可能な既存製品があれば（ステップＳ３０３ａでＹＥＳ）、処理はステップＳ３０５に進む。絞り込んだ購入希望製品からサプライヤが販売可能な既存製品がなければ（ステップＳ３０３ａでＮＯ）、処理はステップＳ３０４ａに進む。
ステップＳ３０４ａにおいて、新規の製品で対応する場合は、サプライヤは新たにサプライヤ製品情報１８に新規製品を追加し、ステップＳ３０５に進む。
【００４１】
以上のように、図１０のステップＳ３０１からステップＳ３０３の処理、或いは、ステップＳ３０１ａからステップＳ３０４ａの処理により、サプライヤは、供給条件とバイヤ評価データとバイヤ評価条件と購入希望情報とに基づいて、購入希望情報１４より抽出した購入希望製品の情報を得ることができる。
【００４２】
上記の処理により、サプライヤがバイヤの購入希望製品を探す際に、次のような効果が期待できる。すなわち、購入希望製品を検索する際に、バイヤ企業情報１３とバイヤ評価情報１２と取引情報１５とを参照することにより、注文を受けた際にかかる製品の値段以外のコストやリスクを見積り、最も自社の利益に繋がるバイヤを見つけることができる。
（１）具体的には、バイヤ企業情報１３のバイヤの卸先７４を参照することにより、自社技術の漏洩を防止する効果がある。
（２）バイヤ企業情報１３の拠点７５を参照することにより、地理的リスクの分散、輸送コストの削減等の効果がある。
（３）バイヤ企業情報１３の部品納入方式７６を参照することにより、自社の納品方式との適合性を確認することができる。
（４）バイヤ企業情報１３の規模７７を参照することにより、生産規模を見積ることができ、購入希望販売提案をバイヤに提示する際に遂行可能性を計ることができる。
（５）バイヤ企業情報１３の備考７８を参照することにより、定量的に表せないメリットを活用することができる。
（６）バイヤ評価情報１２にある複数のサプライヤからのバイヤの要求品質５３、要求価格５４、要求納期５５に関する評価から、当該バイヤとの取引を決める判断材料にすることができる。
（７）バイヤ評価情報１２の備考５６から当該バイヤの定量的に表せない良し悪しを知ることができる。
（８）そして、統計処理され個々の取引が判別できないような形になった取引情報１５から、より客観的な当該バイヤのパフォーマンスを知ることができる。
【００４３】
ステップＳ３０５において、取引部１１０は、サプライヤ端末３１から購入希望製品に対して販売可能であることを提案する購入希望販売提案を受信し、受信した購入希望販売提案をバイヤ端末２１に送信する。この時点で、購入希望製品の購入を希望しているバイヤとサプライヤ間の取引が開始され、取引部１１０は、購入希望販売提案を取引情報１５として記憶部１２０に記憶する。購入希望販売提案は、逆注文データともいう。
ステップＳ３０６において、バイヤ端末２１は、購入希望販売提案を受信する。購入希望販売提案は、バイヤにより精査され、そのサプライヤからその製品を購入するか否かを判定がなされる。このとき、バイヤは、購入を希望する製品を販売するサプライヤのサプライヤ評価情報１６及びサプライヤ企業情報１７の参照を取引部１１０に要求し、サプライヤ評価情報１６及びサプライヤ企業情報１７を参照して、購入希望販売提案に含まれる購入希望製品を購入すべきか否かを判定する。
購入しないと判定された場合（ステップＳ３０６でＮＯ）、処理を終了する。購入すると判定された場合（ステップＳ３０６でＹＥＳ）、ステップＳ２０７に進む。
【００４４】
ステップＳ３０７において、バイヤ端末２１は、取引部１１０を経由して、サプライヤに部品名及び数量等の注文データを送信する。
ステップＳ３０８において、バイヤとサプライヤ間の取引が開始される。なお、取引部１１０は、購入希望販売提案がバイヤ端末２１に送信された時点で、購入希望販売提案を取引情報１５として記憶してもよいし（ステップＳ３０５）、注文データを取引情報１５として記憶部１２０に記憶してもよい（ステップＳ３０８）。
【００４５】
取引完了後に、ステップＳ３０９において、取引部１１０は、バイヤ端末２１及びサプライヤ端末３１のそれぞれに取引相手を評価するか否かを判定させ。判定結果を受信する。
評価しないとの評価結果を受信した場合（ステップＳ３０９でＮＯ）、処理を終了する。評価するとの評価結果を受信した場合（ステップＳ３０９でＹＥＳ）、ステップＳ３１０に進む。
ステップＳ３１０において、取引部１１０は、バイヤ端末２１或いはサプライヤ端末３１から、取引相手の評価結果を受信し、バイヤ評価情報１２或いはサプライヤ評価情報１６として記憶部１２０に記憶する。
【００４６】
＊＊＊本実施の形態の効果の説明＊＊＊
以上のように、本実施の形態に係る仲介システム５００及び仲介装置１０によれば、バイヤ、サプライヤがそれぞれ取引相手を見つけるために企業情報、購入希望情報、製品情報をＷｅｂに掲載することができる。また、過去行った取引の情報と共に取引相手への評価を保持し、これら全ての情報を参考にしてバイヤがサプライヤを、サプライヤがバイヤを選ぶことができる。
本実施の形態に係る仲介システム５００及び仲介装置１０によれば、サプライヤがバイヤの購入希望製品を抽出する際に、抽出する購入希望製品の購入を希望するバイヤのバイヤ評価情報を考慮に入れることができるので、より公平な取引を実現することができる。
【００４７】
また、本実施の形態に係る仲介装置１０によれば、企業情報は取引を検討するために必要な企業名、製品分野、取引先、立地、設備その他条件、規模、等を含む。また、購入希望情報、製品情報には、取引を検討するために必要な製品名、製品仕様、価格、数量、納期、その他参考情報を含む。また、評価情報には、日時と、品質、価格、納期それぞれの定量的評価及び定性的評価、その他参考情報を含む。また、取引情報にはバイヤ、サプライヤ、製品名、数量、その他参考情報等を含む。
このように、本実施の形態に係る仲介装置１０によれば、バイヤとサプライヤ双方が取引開始前又は取引中に相手の企業情報や評価を知ることで、トラブルの回避や調達の効率化を図ることができる。本効果が有効に発揮されるためには、双方が本方式を活用して取引を行うことと、取引後に相手の評価を実施することが重要となる。これらが欠けると、調達効率化に必要な様々なデータが不足し、取引時に参考にすることができなくなる。
【００４８】
本実施の形態に係る仲介システム５００及び仲介装置１０によれば、サプライチェーン構築及び運用効率化のために、サプライヤとバイヤそれぞれの評価情報をＷｅｂに掲載し、双方向マッチングを行うことでより対等で多くの調達を効率的に仲介することができる。
【００４９】
本実施の形態では、取引部はプロセッサ上で動作するプログラムにより実現されるとして説明したが、取引部の機能を有する取引サーバを用いてもよい。そして、記憶部に記憶された各情報はファイルサーバに格納され、ファイルサーバと取引サーバがネットワーク等により接続された構成により本実施の形態に係る仲介装置の機能を実現してもよい。
【００５０】
＊＊＊他の構成＊＊＊
本実施の形態では、仲介装置１０の機能がソフトウェアで実現されるが、変形例として、仲介装置１０の機能がハードウェアで実現されてもよい。
図１３は、本実施の形態の変形例に係る仲介装置１０の構成を示す図である。
図１３に示すように、仲介装置１０は、処理回路９０９、入力インタフェース９３０、出力インタフェース９４０、通信インタフェース９５０といったハードウェアを備える。
【００５１】
処理回路９０９は、上述した「部」の機能及び記憶部を実現する専用の電子回路である。処理回路９０９は、具体的には、単一回路、複合回路、プログラム化したプロセッサ、並列プログラム化したプロセッサ、ロジックＩＣ、ＧＡ（Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、又は、ＦＰＧＡ（Ｆｉｅｌｄ−Ｐｒｏｇｒａｍｍａｂｌｅ  Ｇａｔｅ  Ａｒｒａｙ）である。
【００５２】
仲介装置１０は、処理回路９０９を代替する複数の処理回路を備えていてもよい。これら複数の処理回路により、全体として「部」の機能が実現される。それぞれの処理回路は、処理回路９０９と同じように、専用の電子回路である。
【００５３】
別の変形例として、仲介装置１０の機能がソフトウェアとハードウェアとの組合せで実現されてもよい。すなわち、仲介装置１０において一部の機能が専用のハードウェアで実現され、残りの機能がソフトウェアで実現されてもよい。
【００５４】
プロセッサ９１０、記憶装置９２０、及び、処理回路９０９を、総称して「プロセッシングサーキットリ」という。つまり、仲介装置１０の構成が図４及び図１２のいずれに示した構成であっても、「部」の機能及び記憶部は、プロセッシングサーキットリにより実現される。
【００５５】
「部」を「工程」又は「手順」又は「処理」に読み替えてもよい。また、「部」の機能をファームウェアで実現してもよい。
【００５６】
実施の形態２．
本実施の形態では、主に、実施の形態１との差異について説明する。
本実施の形態において、実施の形態１で説明した構成と同様の構成には同一の符号を付し、その説明を省略する。
実施の形態１では、バイヤとサプライヤ双方が取引相手を自ら探す方法について説明した。しかしバイヤ及びサプライヤの数が増えるにつれ、バイヤの購入希望製品及びサプライヤの供給製品の数も膨大となる。
本実施の形態では、実施の形態１の構成にマッチング部１３０を追加することで、バイヤの需要とサプライヤの供給を事前に定めた方式で自動的にマッチングする仲介装置１０ａについて説明する。
【００５７】
＊＊＊構成の説明＊＊＊
図１４は、本実施の形態に係る仲介装置１０ａの構成の示す図である。
本実施の形態では、実施の形態１の仲介装置１０の機能構成に加えて、マッチング部１３０を備える。マッチング部１３０は、マッチングエンジンともいう。
本実施の形態では、マッチング部１３０は、バイヤ評価情報１２、バイヤ企業情報１３、購入希望情報１４、取引情報１５、サプライヤ評価情報１６、サプライヤ企業情報１７、サプライヤ製品情報１８を用いて自動的にバイヤの購入希望とサプライヤの供給可能を結びつける。
【００５８】
＊＊＊動作の説明＊＊＊
図１５を用いて、本実施の形態に係るマッチング処理Ｓ４００について説明する。
ステップＳ４０１において、マッチング部１３０は、購入希望情報１４に基づいて、サプライヤ企業情報１７からサプライヤを選出サプライヤとして選出する。具体的には、マッチング部１３０は、購入希望情報１４の１つの行である購入希望製品の情報（以下、処理対象購入希望とする）について、処理対象購入希望の仕様（以下、購入希望仕様とする）と近い製品分野を持つサプライヤをサプライヤ企業情報１７から選出する。このとき、マッチング部１３０は、以下の情報等を参考に、購入希望仕様と近い製品分野のサプライヤを見つけ出す。
（Ａ）処理対象購入希望のバイヤの取引情報１５を参照し、過去に取引のあるサプライヤを選ぶ。
（Ｂ）処理対象購入希望のバイヤの製品７３と類似する製品を販売するバイヤと取引実績があるサプライヤを選ぶ。
（Ｃ）上記（Ａ），（Ｂ）と同じ製品８３をサプライヤ企業情報１７に持つサプライヤを選ぶ。
（Ｄ）処理対象購入希望の部品名９３及び仕様９４と類似する製品をサプライヤ製品情報１８に持つサプライヤを選ぶ。
また、この段階で、マッチング部１３０は、サプライヤを選出するための特徴（購入希望情報１４の部品名９３、仕様９４等）と、選出したサプライヤの候補リストとの組み合わせを、後の選出のために記憶部１２０に保存してもよい。
【００５９】
ステップＳ４０２において、マッチング部１３０は、選出サプライヤが供給する供給製品の仕様と購入希望製品の仕様、すなわち購入希望仕様とが一致する度合いを判定する。具体的には、マッチング部１３０は、サプライヤ製品情報１８を用いて、選出サプライヤが販売する供給製品と購入希望仕様との仕様一致度合いを判定する。
ステップＳ４０３において、マッチング部１３０は、度合いが閾値より小さいか否かを判定する。例えば、閾値を１００％とする。仕様の一致の度合いが１００％の場合は完全一致、すなわち仕様を満たすと判定する。仕様の一致の度合いが１００％より小さい場合は完全一致でない、すなわち仕様を満たさないと判定する。完全一致の場合、すなわち部品の仕様９４、希望価格９５等が、選出サプライヤのサプライヤ製品情報１８に含まれる製品の仕様１０４、価格１０５等と完全に一致する場合（ステップＳ４０３でＹＥＳ）は、ステップＳ４０７のマッチング成立に進む。
ステップＳ４０８において、マッチング部１３０は、マッチングした選出サプライヤ及びその供給製品をマッチング結果としてリストに加え、保存する。
ステップＳ４１０において、次の選出サプライヤがあれば、ステップＳ４０２に戻り処理を繰り返す。
【００６０】
ステップＳ４０３において、完全一致しない場合、処理はステップＳ４０４に進む。
ステップＳ４０４において、マッチング部１３０は、選出サプライヤの供給製品の仕様と購入希望仕様との違いを分析する。
ステップＳ４０５において、マッチング部１３０は、分析結果に基づいて、選出サプライヤの供給製品の情報をサプライヤ製品情報から抽出するか否かを判定する。具体的には、マッチング部１３０は、選出サプライヤの仕入先８４や生産設備８６等の情報から、選出サプライヤが不一致となっている仕様の箇所について、修正することにより仕様を満たすことができるかを判定する。例えば、仕入先８４に選出サプライヤがどのような材料を仕入れているかの情報を（マッチング部１３０のみに開示する形でも可）記載し、生産設備８６に材料加工のためにどのような設備やプロセスがあるかを（これもマッチング部１３０のみに開示でも可）記載する。このような情報を記載することにより、材料と設備の仕様を超えない範囲で生産プロセスを変更し、購入希望仕様に近づけることを試みる。また、仮に材料仕入先もサプライヤ製品情報１８やサプライヤ企業情報１７に登録されていれば、仕入れる材料の変更も視野に入る。
このような処理により、仕様の違いが調整（吸収）可能であるとマッチング部１３０が判断できれば（ステップＳ４０６でＹＥＳ）、ステップＳ４０７のマッチング成立に進む。ステップＳ４０８において、マッチング部１３０は、マッチングしたサプライヤ及びその供給製品を提案という形で仕様の違いと共にマッチング結果に加え、リストに保存する。そして、マッチング部１３０はステップＳ４１０を実行する。
仕様の違いが調整（吸収）不可能であるとマッチング部１３０が判断した場合（ステップＳ４０６でＮＯ）、ステップＳ４０９のマッチング不成立に進む。そして、ステップＳ４１０に進み、次の選出サプライヤがあれば処理を繰り返す。
【００６１】
選出サプライヤの全てについて処理が完了した後は、マッチング部１３０は、購入希望情報１４の次の行があれば（ステップＳ４１１でＹＥＳ）、ステップＳ４０１に戻り、購入希望情報１４の次の行を処理対象購入希望として処理を繰り返す。
購入希望情報１４の全ての行について処理が終了すると（ステップＳ４１１でＮＯ）、処理はステップＳ４１２に進む。ステップＳ４１２において、マッチング部１３０は、処理対象購入希望を登録したバイヤ、マッチング結果に記載されている各サプライヤの一方或いは両方にマッチング結果を通知する。ここで、マッチング結果自体は機密性の高い情報であるため、サプライヤ側には当該サプライヤ以外の情報は知らせず、またバイヤ側にもサプライヤ側の非公開としている情報は通知せず、あくまで取引可能性のある相手がいることを伝える。またバイヤとサプライヤはそれぞれへの通知に対して、相手の評価によるフィルタをかけることも可能である。これは、閾値を下回る相手がマッチングした場合でも、その相手は候補から除外した上で通知することを意味する。
【００６２】
＊＊＊本実施の形態の効果の説明＊＊＊
以上のように、本実施の形態に係る仲介装置１０ａによれば、バイヤの購入希望情報を基に、その寸法、機能、価格等の要求仕様を満たす能力又は可能性を持つサプライヤを、サプライヤ企業情報とサプライヤ製品情報から自動的に抽出することができる。そして、一致度合い及び仕様差異を、機密性のある情報については抽象化した状態でバイヤ、サプライヤ又はその両者に通知することができる。なお、サプライヤ企業情報は生産設備、仕入先等を含む情報であり、サプライヤ製品情報は、製品ラインナップ及びそれらの仕様等を含む情報である。
【００６３】
本実施の形態に係るマッチング部１３０は、予め登録されている情報から自動的にバイヤの購入希望とサプライヤの提供可能とを結びつけるので、以下の効果がある。
（１）１つ目は、マッチングの手間の削減とマッチング範囲の拡大である。バイヤの購入希望情報とサプライヤの製品情報が増えるに従い、人手でこれらを結びつけることは容易ではなくなる。よってバイヤは人手でサプライヤ選定を行った場合、どうしても今まで取引を行ったことのあるサプライヤを中心に調査を行い、限られた範囲のサプライヤのみから調達を行うことになる。しかし、本実施の形態のマッチング処理をマッチングエンジンが自動的に行うことで、人手ではたどり着かなかった取引先、思いつかなかった取引先等も候補として検討することができる。
（２）２つ目は、機密性を保ったままでの効率の良いサプライヤ選定を実現することができる。人手で選定作業を実施した場合、どうしても相手に見られて良い公開情報から候補を選出し、そこから電話やメール等で直接交渉にあたる必要があった。しかし、本実施の形態のように、生産設備や取引先等の一部の情報を非公開（マッチングエンジンのみ参照可能）の形で登録することで、競合他社に自社の機密情報を知られることなく、効率よくマッチングを行うことができる。ただしこれらの機密情報は、マッチングの範囲（バイヤの要望に応えられる可能性を持つサプライヤの数）を増やすことができる反面、取り扱いに注意しなければその会社の操業に重大な影響を及ぼす可能性がある。本実施の形態を使用した場合のバイヤ側のメリットは、使用しない場合と比べて直接サプライヤの機密情報を参照することなく多くのサプライヤ候補を抽出できることにある。また、サプライヤ側のメリットは、多くのバイヤの購入希望から自社が対応できそうなものを簡単に選出できることである。
本実施の形態も、実施の形態１と同様に、より多くの情報が登録されている状態で一番良いマッチング結果を出すことができる。
【００６４】
実施の形態３．
本実施の形態では、主に、実施の形態１，２との差異について説明する。
本実施の形態において、実施の形態１，２で説明した構成と同様の構成には同一の符号を付し、その説明を省略する。
実施の形態１では、バイヤとサプライヤ双方が他方の評価を参考にしながら取引相手を探す方法について説明した。また、実施の形態２では、それに加えて双方が予め登録した情報からマッチング部１３０が自動的に、潜在分の取引相手も含む取引相手を見つける方法について説明した。
本実施の形態では、バイヤの購入希望をきっかけとする受動的な購買機会の創出ではなく、現在行われている他社の取引情報から自社の仕入先や生産設備を見直し、能動的に購買機会を創出する方法について説明する。
【００６５】
＊＊＊構成の説明＊＊＊
図１６は、本実施の形態に係る仲介装置１０ｂの構成の示す図である。
本実施の形態では、実施の形態２の仲介装置１０ｂの機能構成に加えて、トレンド分析部１４０を備える。トレンド分析部１４０は、トレンド分析エンジンともいう。
トレンド分析部１４０は、取引情報１５や購入希望情報１４を参照して、現在どのような仕様の製品が必要とされているかを分析する。そして、トレンド分析部１４０は、分析結果に基づき、求められている仕様と近い製品を販売しているサプライヤにトレンドを通知する。すなわち、トレンド分析部１４０は、取引情報１５と購入希望情報１４とに基づいて、取引される傾向にあるトレンド製品を抽出する。トレンド分析部１４０は、トレンド製品の仕様とサプライヤが供給する供給製品の仕様とに違いがある場合に、違いを分析する。トレンド分析部１４０は、分析結果に基づいて、サプライヤに対してトレンド製品に関するトレンド通知を通知する。
【００６６】
＊＊＊動作の説明＊＊＊
図１７を用いて、本実施の形態に係るトレンド通知処理Ｓ５００について説明する。
ステップＳ５０１において、トレンド分析部１４０は、取引情報１５及び購入希望情報１４に基づいて、どういった製品がよく取引されているかを分析する。具体例としては、トレンド分析部１４０は、取引情報１５及び購入希望情報１４に登録されている製品を製品分野ごとに分け、製品分野ごとに取引数及び購入希望数をカウントする等により、取引される傾向を分析する。
ステップＳ５０２において、トレンド分析部１４０は、取引される傾向にあるトレンド製品を抽出する。具体的には、トレンド分析部１４０は、ステップＳ５０１の分析結果と、過去の分析結果とを比較し、特に、取引量の多い製品、取引量が増加傾向にある製品の２種類を絞り込む。ここで、絞り込んだ２種類の製品をトレンド製品とする。
【００６７】
ステップＳ５０３において、トレンド分析部１４０は、サプライヤ企業情報１７に基づいて、サプライヤがトレンド分析を希望しているか否かを判定する。具体例として、サプライヤ企業情報１７がトレンド分析を希望するか否かのトレンド分析希望項目を有するものとする。トレンド分析部１４０は、このトレンド分析希望項目を参照することによりサプライヤがトレンド分析を希望しているか否かを判定する。
サプライヤがトレンド分析を希望していない場合（ステップＳ５０３でＮＯ）、サプライヤ企業情報１７の次のサプライヤについて、トレンド分析の希望を判定する。サプライヤがトレンド分析を希望している場合（ステップＳ５０３でＹＥＳ）、処理はステップＳ５０４に進む。
【００６８】
ステップＳ５０４において、トレンド分析部１４０は、当該サプライヤが、上述の２種類のトレンド製品と近い仕様の製品を販売しているか判定する。当該サプライヤがトレンド製品と一致する製品を販売している場合（ステップＳ５０４でＹＥＳ）、ステップＳ５０７に進む。このとき、トレンド分析部１４０は、図１５で説明したステップＳ４０１からステップ４０３と同様の処理により、当該サプライヤがトレンド製品と近い仕様の製品を販売しているか、また、完全一致かを判定してもよい。
ステップＳ５０７において、トレンド分析部１４０は、サプライヤにトレンドと一致した仕様の製品の需要が多い、又はこれらの製品が増加していることを示すトレンド通知を通知する。
当該サプライヤがトレンド製品と一致する製品を販売していない場合（ステップＳ５０４でＮＯ）、ステップＳ５０５に進む。
【００６９】
ステップＳ５０５において、トレンド分析部１４０は、トレンド製品と当該サプライヤの供給製品との仕様の差異を分析する。すなわち、トレンド分析部１４０は、トレンド製品と一致はしないが近い仕様の製品を販売しているか、また、トレンド製品との仕様の差異は当該サプライヤにより調整可能であるかを分析する。
ステップＳ５０６において、トレンド分析部１４０は、トレンド製品と一致はしないが近い仕様の製品を販売しており、仕様の差異は調整可能であると判定した場合（ステップＳ５０６でＹＥＳ）、ステップＳ５０７に進む。ステップＳ５０７において、トレンド分析部１４０は、当該サプライヤに、仕様の差異の調整による受注増加見込みを示すトレンド通知を通知する。このとき、トレンド分析部１４０は、図１５で説明したステップＳ４０４からステップ４０６と同様の処理を用いて、トレンド製品と当該サプライヤの供給製品との仕様の差異の分析と、仕様の差異は当該サプライヤにより調整可能であるかの判定とを行う。
仕様の差異は調整不可能と判定した場合（ステップＳ５０６でＮＯ）、ステップＳ５０８に進む。
ステップＳ５０８において、トレンド分析部１４０は、次のサプライヤがあれば、ステップＳ５０３に戻り、処理を繰り返す。
上記手順を、トレンド分析を希望する全てのサプライヤに対して実施する。
【００７０】
＊＊＊本実施の形態の効果の説明＊＊＊
以上のように、本実施の形態に係る仲介装置１０ｂによれば、バイヤ、サプライヤ間の過去の取引又は現在掲載中の購入希望情報から、取引の多い或いは増加傾向にある製品を自動的に抽出することができる。そして、そのトレンド情報を知ることで更なる生産性の改善や生産規模の拡大が図れる。
【００７１】
本実施の形態に係るトレンド分析部１４０によれば、自動的に世の中の取引の傾向について分析することかでき、次のような効果がある。
（１）サプライヤはバイヤから欲しい製品を聞き出す、或いはどういった製品が欲しいか調査しなくても、トレンド分析部の分析結果を得ることで、現在売れている、或いは今後売れる製品の仕様が分かる。これも、バイヤ各社に欲しい部品を尋ねても機密性や曖昧さが原因ではっきりとした回答を得られないところを、トレンド分析部が多くの取引や購入希望情報から抽出した傾向という形で利用することで、上述の問題を回避しつつどのような製品の販売に注力すべきかを知ることができる。例えばこのようなことは、今までは商社や情報分析企業が独自のノウハウにより行っていたことだが、本実施の形態により取引に関わる誰もが匿名でトレンドを知ることが可能となる。更にこれらは、情報として個々の企業を特定できない形で匿名化し、一般的なトレンド情報として販売することも可能となる。
（２）また、サプライヤは自社の製造工程に余力がある場合や、規模拡大のための拡張を考えている場合に、どの箇所にどの程度、どういった方法で製造工程を変更すべきかを、トレンド情報から知ることができる。これは、サプライヤが自社製品の中で需要が先細りしている製品に割いていた生産能力を、今後需要が増大する見込みのある製品（仕様）に転換するアドバイスとなる。世間で多く取引され、需要が拡大している製品であれば、特殊な技術やノウハウが必要とされるものでなければサプライヤが新規に参入し、販売先を獲得することも可能である。この際、予め登録してある生産設備情報や仕入先情報から、最小限の変更で受注を獲得できる可能性のあるサプライヤを、トレンド分析部は見つけ出すことができる。これにより、製造業全体で見た場合に無駄の少ない効率的な生産と設備投資を実現できる。
なお、トレンド分析で気をつけなければならないのは、そのトレンド分析結果を同時に大量に通知することによって、需要が不必要に乱高下する可能性があることである。この点に注意し、本実施の形態では、トレンド分析結果を通知する範囲を製品分野、企業規模等のパラメータで限定すべきである。また、トレンド分析結果には個々の企業の特定につながる情報は含まれるべきではないので、サプライヤに通知する前に匿名化・抽象化する必要がある。
【００７２】
実施の形態４．
本実施の形態では、主に、実施の形態１及び２との差異について説明する。
本実施の形態において、実施の形態１から３で説明した構成と同様の構成には同一の符号を付し、その説明を省略する。
【００７３】
本実施の形態では、サプライチェーンの構築及び運用の効率化のために、複数の取引にまたがって商品の輸送時間及び費用を含めた全体の納期及び価格を最適化することができる仲介システム５００ｃ及び仲介装置１０ｃについて説明する。
【００７４】
＊＊＊構成の説明＊＊＊
図１８を用いて、本実施の形態に係る仲介装置１０ｃの構成について説明する。図１８において、実施の形態２で説明した図１４と同様の構成については同一の符号を付し、その説明を省略する。
図１８において図１４と異なる点は、仲介装置１０ｃが物流業者端末４９２とインターネット４０を介して接続されている点である。物流業者４９１は物流業者端末４９２を備える。また、仲介装置１０ｃは、機能構成部として、物流エンジン部１５０を備える。また、仲介装置１０ｃは、記憶部１２０に物流情報１９を備える。物流情報１９は、第１物流情報１９１と第２物流情報１９２とを有する。また、記憶部１２０に記憶されているサプライヤ製品情報１８ｃは、実施の形態１で説明したサプライヤ製品情報１８に製造地１０６ｃの情報が追加されている。
【００７５】
図１８の仲介装置１０ｃは、バイヤ２０が、サプライヤ３０と物流業者４９１の登録情報とに基づいて、最適な調達先と調達する製品を探すために用いられる。仲介システム５００では、１つ又は複数のバイヤ２０、サプライヤ３０及び物流業者４９１と、調達を仲介する仲介装置１０ｃとがインターネット４０を介して接続される。仲介装置１０ｃは複数あってもよいが、複数ある場合はそれぞれの装置が持つサプライヤ及び物流業者に関するデータは共有できていなければならない。
【００７６】
取引部１１０は、バイヤ評価情報１２、バイヤ企業情報１３、購入希望情報１４、取引情報１５、サプライヤ評価情報１６、サプライヤ企業情報１７、サプライヤ製品情報１８ｃ、マッチング部１３０、物流情報１９、及び物流エンジン部１５０を利用し、バイヤ端末２１、サプライヤ端末３１あるいは物流業者端末４９２からの要求に応じる。
【００７７】
図１９は、本実施の形態に係るサプライヤ製品情報１８ｃの構成図である。図１９において、実施の形態１で説明した図８と同様の構成については同一の符号を付し、その説明を省略する。
サプライヤ製品情報１８ｃは、サプライヤが供給する供給製品の輸送条件１８５を含む。サプライヤ製品情報１８ｃは、供給製品の輸送条件１８５として、供給製品の大きさ及び重量と、供給製品の製造地とを含む。
サプライヤ製品情報１８ｃでは、図８の仕様１０４の内容に、製品の縦、横及び奥行きそれぞれの大きさと、重量とを明記する。また、図８のサプライヤ製品情報１８に加えて、各製品の製造地１０６ｃを明記する。
仕様１０４の縦、横、奥行きの大きさは製品の梱包状態での外寸を表し、重量は梱包状態での重さを表す。これらの情報は供給製品の輸送条件を決定する際に使用する供給製品の輸送条件１８５の例である。また、製造地１０６ｃは製品の製造場所を表し、バイヤが購入した際の発送元となる。製造地１０６ｃも供給製品の輸送条件１８５の例である。
【００７８】
図２０は、本実施の形態に係る第１物流情報１９１の構成図である。図２１は、本実施の形態に係る第２物流情報１９２の構成図である。物流情報１９は、第１物流情報と第２物流情報とを組み合わせた情報である。
物流情報１９は、物流業者４９１を識別する物流識別子２０１と、物流業者４９１が輸送する際の輸送条件１９５とが対応付けられている。輸送条件１９５には、発送元２０８と発送先２０９と輸送費用２１０と輸送所要時間２１１とがある。
【００７９】
第１物流情報１９１は、物流識別子２０１、物流業者名２０２、サイズ２０３、重量２０４、備考２０５、及び輸送区分２０６の情報から構成される。サイズ２０３、重量２０４、及び備考２０５は、物流業者名２０２が輸送する際の輸送条件１９５の例である。
第２物流情報１９２は、輸送区分２０７、発送元２０８、発送先２０９、輸送費用２１０、輸送所要時間２１１、及び発送時刻２１２の情報から構成される。物流識別子２０１は輸送条件１９５を決定するために割り振られた一意の識別子である。物流業者名２０２は、当該物流を担当する業者名である。サイズ２０３は、輸送時の輸送単位での格納容器の大きさ、具体的には縦、横、及び奥行きを示す情報である。重量２０４は、当該格納容器に積載可能な重量である。備考２０５は、低温輸送等その他の輸送条件に関する情報が設定される。輸送区分２０６は、図２１で示される発送元２０８から発送先２０９までの輸送区間、輸送費用２１０及び輸送所要時間２１１との関係を示す情報である。つまり、図２１の輸送区分２０７は図２０の輸送区分２０６と同じ情報である。発送元２０８は、輸送開始地点の場所情報である。発送先２０９は、輸送終了地点の場所情報である。輸送費用２１０には、サイズ２０３から発送先２０９で示される輸送条件１９５のもとでの輸送の費用である。輸送所要時間２１１は同じくサイズ２０３から発送先２０９で示される輸送条件のもとでの輸送にかかる時間である。発送時刻２１２は、当該輸送が発送される時刻情報である。
【００８０】
物流エンジン部１５０は、サプライヤ製品情報１８ｃと物流情報１９とに基づいて、取引部１１０により抽出された購入希望製品の輸送条件を満たす物流業者４９１を選択する。また、物流エンジン部１５０は、選択された物流業者４９１が取引部１１０により抽出された購入希望製品を発送元から発送先まで輸送する際の、輸送費用及び輸送所要時間を算出する。物流情報１９には、選択された物流業者２９１を識別する物流識別子２０１と発送元２０９と発送先２０９と輸送費用２１０と輸送所要時間２１１とが対応付けられている。
【００８１】
＊＊＊動作の説明＊＊＊
図２２を用いて、本実施の形態に係る仲介装置１０ｃのサプライヤ製品提示処理について説明する。
まず、事前に実行される事前準備処理について説明する。
実施の形態１で説明した事前準備処理に加え、サプライヤ製品情報１８ｃの設定と、物流情報１９との設定処理を行う。
サプライヤ３０はサプライヤ端末３１から取引部１１０に接続し、実施の形態１と同様に、サプライヤ製品情報１８ｃを可能な範囲で入力しておく。
また、物流業者４９１は物流業者端末４９２から取引部１１０に接続し、物流情報１９を可能な範囲で入力しておく。
【００８２】
図２２のサプライヤ製品提示処理は、仲介装置１０ｃが、輸送費用及び輸送所要時間を考慮してサプライヤ３０を選定し、バイヤ２０に提示する処理である。
ステップＳ６０１において、取引部１１０は、バイヤ端末２１からインターネット４０を介して、購入希望情報１４に記されている条件を満たす供給製品をサプライヤ製品情報１８ｃから検索する供給製品抽出要求を受信する。具体的には、バイヤ２０はバイヤ端末２１から取引部１１０に接続し、バイヤ２０が入力した購入希望情報１４の情報に記されている条件を満たす供給製品をサプライヤ製品情報１８ｃから検索する供給製品抽出要求を取引部１１０に送信する。
ステップＳ６０２において、取引部１１０は、供給製品抽出要求に合致するサプライヤ製品を、サプライヤ製品情報１８ｃから検索する。ここで、供給製品抽出要求に合致するサプライヤ製品がない場合は、処理を終了する。供給製品抽出要求に合致する製品があった場合、ステップＳ６０３に進む。ここで、供給製品抽出要求に合致する製品を合致製品とする。合致製品は、取引部１１０により抽出された購入希望製品の例である。なお、ステップＳ６０１からステップＳ６０２の処理は、実施の形態１の図９のステップＳ２０１からステップＳ２０２の処理と同様の処理である。
【００８３】
ステップＳ６０３において、取引部１１０は、合致製品についてサプライヤ製品情報１８ｃに記載されている仕様１０４を物流エンジン部１５０に通知する。そして、物流エンジン部１５０は、仕様１０４に当てはまるサイズ２０３及び重量２０４を輸送条件１９５とする物流識別子２０１を第１物流情報１９１から抽出する。
ステップＳ６０４において、物流エンジン部１５０は、バイヤ企業情報１３とサプライヤ製品情報１８ｃの製造地１０６ｃとから、発送元と発送先をそれぞれ決定する。また、物流エンジン部１５０は、ステップＳ２０３で該当した物流識別子２０１の輸送区分２０６と発送元２０８及び発送先２０９から、輸送費用２１０と輸送所要時間２１１とを決定する。
ステップＳ６０５において、物流エンジン部１５０は、全ての合致製品について処理が終了したか否かを判定する。全ての合致製品について処理が終了した場合、ステップＳ６０６に進む。未処理の合致製品がある場合、ステップＳ６０３に戻る。
ステップＳ６０６において、物流エンジン部１５０は、合致製品と、合致製品の輸送費用及び輸送所要時間とをバイヤ端末２１に送信する。具体的には、物流エンジン部１５０は、合致製品を輸送する際の輸送費用と輸送所要時間とを、合致製品に対応するサプライヤ企業情報１７及びサプライヤ製品情報１８ｃとともにバイヤ端末２１へ送信する。この場合、物流エンジン部１５０は、合致製品の合計価格と合計納期として送信しても良いし、個別に送信しても良い。
【００８４】
＊＊＊本実施の形態の効果の説明＊＊＊
本実施の形態に係る仲介装置１０ｃでは、サプライヤ製品情報に、仕様１０４の外寸情報と製造地の情報を記載する。また、仲介装置１０ｃでは、物流情報に、輸送にかかるサイズ、重量、輸送区間に対する輸送費用及び輸送所要時間の情報を設定する。よって、本実施の形態に係る仲介装置１０ｃによれば、バイヤはサプライヤ製品検索と同時に輸送費及び輸送所要時間を知ることができる。よって、本実施の形態に係る仲介装置１０ｃによれば、利用者は、製品と輸送との個別見積りから解放され、トータルとして見た場合に最も適した製品を素早く見つけることができる。
【００８５】
本実施の形態に係る仲介装置１０ｃは、法人顧客ビジネス、いわゆるＢｔｏＢの製品調達において、新規調達先を探す際に有効である。なお、仲介装置１０ｃは、個人顧客ビジネス、いわゆるＢｔｏＣのように頻繁に調達先が変わる場合には特に有効となる。利用者は価格を優先すべきか、納期を優先すべきかを決め、その条件に合う製品調達先を一度の処理で見つけることができる。また、利用者はあるサプライヤ製品に対して複数の輸送手段を候補としてリストアップすることが可能になるため、調達する製品が既に決まっている場合でもコスト削減や時間短縮に効果的である。
【００８６】
また、本実施の形態に係る仲介装置１０ｃは、実施の形態２で説明したように、マッチング部１３０が予め登録されている購入希望情報１４を基に、条件に一致するサプライヤ製品をサプライヤ製品情報１８ｃから自動的に検索する際にも適用することができる。具体的には、条件として輸送費用込みでの価格あるいは輸送所要時間込みでの納期を指定することで、トータルとして条件に当てはまる製品を自動的に選出することができる。
【００８７】
実施の形態５．
本実施の形態では、主に、実施の形態４との差異について説明する。
本実施の形態において、実施の形態１から４で説明した構成と同様の構成には同一の符号を付し、その説明を省略する。
【００８８】
実施の形態４では、バイヤがサプライヤから調達する製品を探す方法について説明した。しかし物流業者からすると、効率化のためになるべく近い輸送区間の輸送をまとめて発送したいという要望がある。そして、まとめて発送することが実現した場合、まとめて発送される製品の送料は分担されるため、１つあたりの送料を低く抑えることができる。
【００８９】
＊＊＊構成の説明＊＊＊
本実施の形態に係る仲介システム５００ｃ及び仲介装置１０ｃの構成は、実施の形態１から４で説明したものと同様である。
なお、本実施の形態において、取引情報１５は、バイヤとサプライヤとの間で取引が確定した取引製品の情報を表す取引データの例である。
本実施の形態において、物流エンジン部１５０は、取引情報１５と物流情報１９とに基づいて、取引情報１５から、バイヤが注文した注文製品を同梱可能な取引製品を抽出する。また、物流エンジン部１５０は、注文製品と取引製品とを同梱して輸送した場合の輸送費用及び輸送所要時間とを算出する。
【００９０】
＊＊＊動作の説明＊＊＊
図２３を用いて、本実施の形態に係る仲介装置１０ｃの輸送計算処理について説明する。
本実施の形態に係る輸送計算処理は、新規にバイヤが注文製品を注文しようとする際の処理である。物流エンジン部１５０は、確定済み注文を取引情報１５から検索し、以下の処理を順番に実施する。確定済み注文を取引製品とする。
ステップＳ７０１において、物流エンジン部１５０は、発送元２０８、発送先２０９及び備考２０５に記載の輸送条件が注文製品と同じ物流情報１９について、注文製品を取引製品と同梱できる空きスペースがあることを示しているか否かについて検索する。具体的には、物流エンジン部１５０は、発送元２０８、発送先２０９及び備考２０５に記載の輸送条件が同じで、かつ、注文製品を同梱できる空きスペースがある物流識別子２０１を抽出する。物流エンジン部１５０は、注文製品に対応するサプライヤ製品情報１８ｃの仕様１０４に記載の外寸を注文数分とした大きさを注文製品の大きさとする。物流エンジン部１５０は、注文製品の大きさと物流情報１９のサイズ２０３とを比較し、注文製品の大きさのスペースが確保できるとともに、重量も範囲内に収まるかを評価する。
【００９１】
物流エンジン部１５０は、注文製品の大きさのスペースが確保できるとともに、重量も範囲内に収まる場合に、空きスペースありと判定する。
ステップＳ７０２において、空きスペースがある場合、ステップＳ７０３に進む。ステップＳ７０２において、空きスペースがない場合、ステップＳ７０５に進む。
ステップＳ７０３において、物流エンジン部１５０は、空きスペースに注文製品を同梱して輸送するように調整する。物流エンジン部１５０は、空きスペースに注文製品を同梱して輸送した場合の輸送回数とコストとを算出する。注文製品を同梱して輸送した場合は、輸送回数とコストとが削減される。
ステップＳ７０４において、物流エンジン部１５０は、確定済み注文である取引製品の輸送費用についても新規注文分と分担されるため、取引部１１０は確定済み注文を行ったバイヤ２０に輸送費用が下がったことを通知する。
【００９２】
ステップＳ７０５において、物流エンジン部１５０は、発送元２０８、発送先２０９及び備考２０５に記載の輸送条件が注文製品と同じ物流情報１９について、注文製品を取引製品と同梱できる空きスペースがあることを示しているか否かについて検索する。物流エンジン部１５０は、サイズ２０３あるいは重量２０４を１まわり大きいものに変更した場合に、注文製品と取引製品とを同梱して輸送できるかを検証する。また、物流エンジン部１５０は、注文製品と取引製品とを同梱して輸送できると検証された場合に、取引製品と注文製品とで輸送費用を分担した際に確定済み注文の取引製品の輸送費用と輸送所要時間とがこれまでの値を超えないかを検証する。
ステップＳ７０６において、物流エンジン部１５０は、同梱でき、かつ、取引製品の輸送費用と輸送所要時間とが同梱しない場合の値を超えないかを判定する。これまでの値を超えない場合は、ステップＳ７０７に進む。これまでの値を超える場合は、ステップＳ７０８に進む。
ステップＳ７０７において、物流エンジン部１５０は、物流情報１９においてサイズ２０３又は重量２０４を１つ大きいものに変更し、ステップＳ７０３に進む。そして、物流エンジン部１５０は、今回の注文製品と取引製品とを同梱して輸送するように調整し、取引部１１０は取引製品のバイヤ２０に輸送費用が下がった、又は納期が縮まったことを通知する。
【００９３】
ステップＳ７０８において、物流エンジン部１５０は、注文製品を取引製品と同梱することができなかったため、今回の注文製品に対して新規の輸送を割り当てる。
ステップＳ７０９において、物流エンジン部１５０は、新規の輸送の空きスペースに同じ輸送条件の取引製品が入るかを判定する。輸送費用及び納期が増加しない範囲で入る場合はステップＳ７０３に進み、上記と同様に同梱の調整及び取引製品のバイヤへの通知を行う。
【００９４】
また、上記手順の中で、同梱を検討する際に、以下の点に注意する。
（ａ）空きスペース確認時には、サプライヤ製品情報１８ｃの情報を参照し、天地無用の製品でないことを確認する。天地無用の場合は製品の上下を固定した上で並べ方を検討する。
（ｂ）空きスペース確認時に、サプライヤ製品情報１８ｃの情報を参照し、上積み可能な重さを確認する。上積み不可の場合は、上に別の製品を乗せないように配置する。
（ｃ）同梱時の輸送費用分担は、占有体積あるいは重量によって配分を決定する。
（ｄ）同梱時の納期について、もともと確定している注文の製品のバイヤ拠点への到着は遅らせてはならない。よって製品の納期１０６と物流拠点からの発送時刻２１２を考慮し、製品が発送元物流拠点に到着する時刻以降に発送し、もともと確定していた発送先物流拠点への到着時刻以前に到着する物流手段を選択する。
【００９５】
＊＊＊本実施の形態の効果の説明＊＊＊
本実施の形態に係る仲介装置１０ｃによれば、同梱を積極的に活用することで、各注文に対し同じ価格で輸送時間を短縮したり、同じ輸送時間で価格を下げたり、あるいはその両方を達成することができる。しかしこの同梱を行うためには、他者の注文状況を把握する必要があり、これは一般的にセキュリティ及びプライバシーの観点から実現が難しい。しかし、本実施の形態によれば、仲介システム５００ｃが一括して同梱可能かどうかの判断と、実際の同梱手配とを行うことができるので、セキュリティ及びプライバシーを守りながら輸送時間及び価格を減らすことができる。
【００９６】
また、これまでは、物流業者がリアルタイムに発生する物流要求に応じて、最適な輸送を実現するために積荷の配置を工夫していた。しかし、本実施の形態に係る仲介システム５００ｃが物流業者を支援することで、取引サーバである仲介装置１０ｃから送られてくる発送情報を基に実際の輸送を行うだけで最適な輸送を実現できる。
【００９７】
また、本実施の形態に係る仲介装置１０ｃによれば、バイヤの購入した製品を輸送する際に、その輸送単位のサイズ、許容重量、輸送区間、その他輸送条件、及び確定済み注文の輸送条件を考慮して、取引製品と同梱して輸送するための調整を行うことができる。
【００９８】
以上、本発明の実施の形態１から５について説明したが、これらの実施の形態の説明において「部」として説明するもののうち、いずれか１つのみを採用してもよいし、いくつかの任意の組合せを採用してもよい。つまり、仲介装置の機能ブロックは、上記の実施の形態で説明した機能を実現することができれば、任意である。これらの機能ブロックを、どのような組合せ、或いは任意のブロック構成で仲介装置を構成しても構わない。また、仲介装置は、１つの装置でなく、複数の装置から構成されていてもよい。
【００９９】
また、実施の形態１から５について説明したが、これらの実施の形態のうち、複数の部分を組み合わせて実施しても構わない。或いは、これらの実施の形態のうち、１つの部分を実施しても構わない。その他、これらの実施の形態の内容を、全体として或いは部分的に、どのように組合せて実施しても構わない。
なお、上記の実施の形態は、本質的に好ましい例示であり、本発明、その適用物や用途の範囲を制限することを意図するものではなく、必要に応じて種々の変更が可能である。
【符号の説明】
【０１００】
１０，１０ａ，１０ｂ，１０ｃ  仲介装置、１２  バイヤ評価情報、１３  バイヤ企業情報、１４  購入希望情報、１５  取引情報、１６  サプライヤ評価情報、１７  サプライヤ企業情報、１８，１８ｃ  サプライヤ製品情報、２０  バイヤ、２１  バイヤ端末、３０  サプライヤ、３１  サプライヤ端末、４０  インターネット、４１，５１，６１，７１，８１，  取引ＩＤ、４２  日時、４３  バイヤ、４４  サプライヤ、４５，７３，８３  製品、４６  数量、４７，５６，６６，７８，８８，９８，１０７  備考、５２，６２  評価日時、５３  要求品質、５４  要求価格、５５  要求納期、６３  供給済品質、６４  供給済価格、６５  供給済納期、７２，８２  企業名、７４  卸先、７５，８５  拠点、７６  部品納入方式、７７，８７  規模、８４  仕入先、８６  生産設備、９１  購入希望製品ＩＤ、１０１  製品ＩＤ、９２，１０２  企業ＩＤ、９３，１０３  部品名、９４，１０４  仕様、９５  希望価格、９６  希望数量、９７  希望納期、１０５  価格、１０６  納期、１１０  取引部、１２０  記憶部、１３０  マッチング部、１４０  トレンド分析部、５００，５００ｃ  仲介システム、５１０  仲介方法、５２０  仲介プログラム、５１１  バイヤ評価データ、６１０  サプライヤ評価データ、Ｓ１００，Ｓ２００  取引処理、Ｓ４００  マッチング処理、Ｓ５００  トレンド通知処理、９０９  処理回路、９１０  プロセッサ、９２０  記憶装置、９３０  入力インタフェース、９４０  出力インタフェース、９５０  通信インタフェース、１８５，１９５  輸送条件、１９  物流情報、１９１  第１物流情報、１９２  第２物流情報、４９１  物流業者、４９２  物流業者端末、２０１  物流識別子、２０２  物流業者名、２０３  サイズ、２０４  重量、２０５  備考、２０６，２０７  輸送区分、２０８  発送元、２０９  発送先、２１０  輸送費用、２１１  輸送所要時間、２１２  発送時刻、１０６ｃ  製造地、１５０  物流エンジン部。
【図１】
2017212667.tif 000003
【図２】
2017212667.tif 000004
【図３】
2017212667.tif 000005
【図４】
2017212667.tif 000006
【図５】
2017212667.tif 000007
【図６】
2017212667.tif 000008
【図７】
2017212667.tif 000009
【図８】
2017212667.tif 000010
【図９】
2017212667.tif 000011
【図１０】
2017212667.tif 000012
【図１１】
2017212667.tif 000013
【図１２】
2017212667.tif 000014
【図１３】
2017212667.tif 000015
【図１４】
2017212667.tif 000016
【図１５】
2017212667.tif 000017
【図１６】
2017212667.tif 000018
【図１７】
2017212667.tif 000019
【図１８】
2017212667.tif 000020
【図１９】
2017212667.tif 000021
【図２０】
2017212667.tif 000022
【図２１】
2017212667.tif 000023
【図２２】
2017212667.tif 000024
【図２３】
2017212667.tif 000025
【国際調査報告】
2017212667.tif 000026
2017212667.tif 000027
2017212667.tif 000028